(57)【要約】  電気絶縁材料で形成された取り付けブロックと、取り付けブロックの底面上に配置された可溶体を含むヒューズプレートと、可溶体に電気的に接続され、取り付けブロックの後面及び頂面に沿って延在する入力端子と、可溶体に電気的に接続され、取り付けブロックの前面から延在するヒューズ端子と、を含むヒューズモジュールであって、電気部品への接続を容易にするために、取り付けブロックの頂面からヒューズ端子を通って延在する導電性端子ポストを更に含む、ヒューズモジュール。
2020534642.tif 000002
【特許請求の範囲】
【請求項１】
電気絶縁材料で形成された取り付けブロックと、
ヒューズプレートであって、
前記取り付けブロックの底面上に配置された可溶体と、
前記可溶体に電気的に接続され、前記取り付けブロックの後面及び頂面に沿って延在する入力端子と、
前記可溶体に電気的に接続され、前記取り付けブロックの前面から延在するヒューズ端子と、を含むヒューズプレートと、
電気部品への接続を容易にするために、前記取り付けブロックの頂面から前記ヒューズ端子を通って延在する導電性端子ポストと、を備える、ヒューズモジュール。
【請求項２】
前記入力端子が、貫通形成された取り付け開口部を有する、請求項１に記載のヒューズモジュール。
【請求項３】
前記可溶体及び前記入力端子が平行である、請求項１または２に記載のヒューズモジュール。
【請求項４】
前記ヒューズ端子及び前記入力端子が平行である、請求項１〜３のいずれか一項に記載のヒューズモジュール。
【請求項５】
前記ヒューズ端子及び前記入力端子が同一平面上にある、請求項１〜４のいずれか一項に記載のヒューズモジュール。
【請求項６】
前記可溶体の上に配置され、前記取り付けブロックに締結されたカバーを更に備える、請求項１〜５のいずれか一項に記載のヒューズモジュール。
【請求項７】
前記ヒューズプレートの部分及び前記取り付けブロックを封入する電気絶縁保護層を更に備える、請求項１〜６のいずれか一項に記載のヒューズモジュール。
【請求項８】
前記入力端子が電池クランプと一体である、請求項１〜７のいずれか一項に記載のヒューズモジュール。
【請求項９】
前記ヒューズプレートの一部が前記取り付けブロック内に埋め込まれている、請求項１〜８のいずれか一項に記載のヒューズモジュール。
【請求項１０】
前記入力端子から延在する導電性のバス延長部を更に備え、前記バス延長部が、前記取り付けブロック内の凹部内に据え付けられたヒューズに接続するように適合されている、請求項１〜９のいずれか一項に記載のヒューズモジュール。
【請求項１１】
電気絶縁材料で形成された取り付けブロックであって、前記取り付けブロックは、互いに嵌合し、内部に形成された内部チャネルを有する第１の部分と、第２の部分とを含む、取り付けブロックと、
前記取り付けブロック内に部分的に配設され、前記第１の部分及び前記第２の部分の前記内部チャネルを通って延在するヒューズプレートであって、前記ヒューズプレートが、
前記取り付けブロックの底面に隣接して配置され、かつ前記取り付けブロックの底面に平行に配向された、可溶体と、
前記可溶体に電気的に接続され、前記取り付けブロックの後面及び頂面に隣接し、かつ平行に延在する入力端子と、
前記可溶体に電気的に接続され、前記取り付けブロックの前面から延在するヒューズ端子と、を含むヒューズプレートと、
電気部品への接続を容易にするために、前記ヒューズ端子を通じて延在する導電性の端子ポストと、を備える、ヒューズモジュール。
【請求項１２】
前記入力端子が、貫通形成された取り付け開口部を有する、請求項１１に記載のヒューズモジュール。
【請求項１３】
前記可溶体及び前記入力端子が平行である、請求項１１または１２に記載のヒューズモジュール。
【請求項１４】
前記ヒューズ端子及び前記入力端子が平行である、請求項１１〜１３のいずれか一項に記載のヒューズモジュール。
【請求項１５】
前記ヒューズ端子及び前記入力端子が同一平面上にある、請求項１１〜１４のいずれか一項に記載のヒューズモジュール。
【請求項１６】
前記可溶体が、前記取り付けブロックの前記第１の部分及び前記第２の部分によって画定される空洞内に配置され、前記空洞は、空気ポケットを画定し、前記取り付けブロックの前記第１の部分及び前記第２の部分の前記内部チャネルの隣接部分よりも大きい、請求項１１〜１５のいずれか一項に記載のヒューズモジュール。
【請求項１７】
前記ヒューズ端子の頂面が露出している、請求項１１〜１６のいずれか一項に記載のヒューズモジュール。
【請求項１８】
前記取り付けブロックの前記第１の部分及び前記第２の部分が、超音波溶接、スナップ嵌め、熱かしめ、及び接着剤のうちの少なくとも１つによって互いに締結される、請求項１１〜１７のいずれか一項に記載のヒューズモジュール。
【請求項１９】
前記ヒューズプレートの一部が前記取り付けブロック内に埋め込まれている、請求項１１〜１８のいずれか一項に記載のヒューズモジュール。
【請求項２０】
前記端子ポスト及び前記入力端子が垂直である、請求項１１〜１９のいずれか一項に記載のヒューズモジュール。
【発明の詳細な説明】
【関連出願の相互参照】
【０００１】
本出願は、その全体が参照により本明細書に組み込まれる、２０１７年９月２２日に出願された米国特許仮出願第６２／５６１，８４８号の利益を主張するものである。
【技術分野】
【０００２】
本開示は、概して、回路保護デバイスの分野に関し、より具体的には、自動車電池用途の集積ヒューズモジュールに関する。
【背景技術】
【０００３】
グローバルな自動車市場では、自動車エンジン区画内に配置され、自動車電池端子に接続された、いわゆる「プレヒューズボックス」を実装する傾向がある。自動車におけるプレヒューズボックスの主な目的は、事故の場合に発生し得る高電流伝導性ワイヤにおける短絡から生じ得る電気的損傷を防止することである。
【０００４】
既存のプレヒューズボックスは、典型的には非常に大きく、それらの間に電気的接続を提供する可撓性の導電リードを有する自動車電池に隣接して取り付けられる。この構成は、空間が既に非常に限定されている自動車エンジン区画内の大きな空間を占める。
【０００５】
これら及び他の考慮事項に関して、本発明の改善は有用であり得る。
【発明の概要】
【０００６】
本「発明の概要」は、「発明を実施するための形態」において以下に更に記載される概念のうちの一部を簡略化された形態で紹介するために提供される。本「発明の概要」は、特許請求される主題の重要な特徴又は必須の特徴を特定することを意図するものではなく、特許請求される主題の範囲を決定する際の補助として意図されるものではない。
【０００７】
本開示の例示的な実施形態によるヒューズモジュールは、電気絶縁材料で形成された取り付けブロックと、取り付けブロックの底面上に配置された可溶体を含むヒューズプレートと、可溶体に電気的に接続され、取り付けブロックの後面及び頂面に沿って延在する入力端子と、可溶体に電気的に接続され、取り付けブロックの前面から延在するヒューズ端子と、を含んでもよく、ヒューズモジュールは、電気部品への接続を容易にするために、取り付けブロックの頂面からヒューズ端子を通って延在する導電性端子ポストを更に含む。
【０００８】
本開示の別の例示的な実施形態によるヒューズモジュールは、電気絶縁材料で形成された取り付けブロックであって、互いに嵌合し、内部に形成された内部チャネルを有する第１及び第２の部分を含む、取り付けブロックと、取り付けブロック内に部分的に配設され、第１及び第２の部分の内部チャネルを通って延在するヒューズプレートであって、取り付けブロックの底面に隣接して配設され、平行に配向された可溶体を含む、ヒューズプレートと、可溶体に電気的に接続され、取り付けブロックの後面及び頂面に隣接して平行に延在する入力端子と、可溶体に電気的に接続され、取り付けブロックの前面から延在するヒューズ端子と、を含んでもよく、ヒューズモジュールは、電気部品への接続を容易にするために、ヒューズ端子を通って延在する導電性端子ポストを更に含む。
【図面の簡単な説明】
【０００９】
【図１】本開示の例示的実施形態による、ヒューズモジュールを示す正面斜視図である。
【００１０】
【図２ａ】図１に示すヒューズモジュールの取り付けブロック及び端子ポストを示す斜視図である。
【００１１】
【図２ｂ】図１に示すヒューズモジュールの端子ポストを示す詳細斜視図である。
【００１２】
【図３】図１に示すヒューズモジュールのヒューズプレートを示す斜視図である。
【００１３】
【図４ａ】図１に示すヒューズモジュール１０の組み立て中に、図３に示されるヒューズプレートを屈曲するか又は折り畳むことができる方法を示す一連の斜視図である。
【図４ｂ】図１に示すヒューズモジュール１０の組み立て中に、図３に示されるヒューズプレートを屈曲するか又は折り畳むことができる方法を示す一連の斜視図である。
【図４ｃ】図１に示すヒューズモジュール１０の組み立て中に、図３に示されるヒューズプレートを屈曲するか又は折り畳むことができる方法を示す一連の斜視図である。
【００１４】
【図５】保護層を含む図１に示すヒューズモジュールを示す斜視図である。
【００１５】
【図６】自動車電池に搭載された図１に示すヒューズモジュールを示す斜視図である。
【００１６】
【図７ａ】本開示による、ヒューズモジュールの別の実施形態を示す斜視図である。
【図７ｂ】本開示による、ヒューズモジュールの別の実施形態を示す斜視図である。
【図７ｃ】本開示による、ヒューズモジュールの別の実施形態を示す斜視図である。
【００１７】
【図８ａ】本開示による、ヒューズモジュールの更なる実施形態を示す斜視図である。
【図８ｂ】本開示による、ヒューズモジュールの更なる実施形態を示す斜視図である。
【００１８】
【図９ａ】本開示による、ヒューズモジュールの別の実施形態を示す一連の斜視図である。
【図９ｂ】本開示による、ヒューズモジュールの別の実施形態を示す一連の斜視図である。
【図９ｃ】本開示による、ヒューズモジュールの別の実施形態を示す一連の斜視図である。
【００１９】
【図１０ａ】本開示によるヒューズモジュールの別の実施形態を示す斜視図である。
【図１０ｂ】本開示によるヒューズモジュールの別の実施形態を示す斜視図である。
【発明を実施するための形態】
【００２０】
本開示による集積ヒューズモジュールは、ここで、ヒューズモジュールの好ましい実施形態が提示される添付図面を参照して、より完全に説明する。しかしながら、ヒューズモジュールは、多くの異なる形態で具現化されてもよく、本明細書に記載される実施形態に限定されるものとして解釈されるべきではないことが理解されるであろう。むしろ、これらの実施形態は、本開示が、当業者にヒューズモジュールの特定の例示的態様を伝達するように提供される。
【００２１】
図１を参照すると、本開示の例示的な非限定的な実施形態による、集積ヒューズモジュール１０（以下、「ヒューズモジュール１０」）を示す斜視図が示されている。以下により詳細に記載されるように、ヒューズモジュール１０は、自動車電池の正端子、又は電力分配に使用されるバスバーに直接結合されてもよく、それらの間に延在する可撓性の電気導体を有さず、電池又は他の電力源によって電力供給される１つ以上の電気負荷のための過電流保護を提供することができる。有利には、ヒューズモジュール１０は、ヒューズモジュール１０が現在市場で入手可能なプレヒューズボックスに対して、コンパクトで省スペースなフォームファクタで実装されることを可能にする集積実装構造体を含む。
【００２２】
便宜上及び明確さのために、「正面」、「後方」、「頂部」、「底部」、「上方」、「下方」、「垂直」、及び「水平」などの用語は、ヒューズモジュール１０の様々な構成要素の、図１に示すようなヒューズモジュール１０の形状及び向きに対する、それぞれの相対的配置及び向きを説明するために、本明細書で使用することができる。当該用語は、具体的に言及された単語、その派生語、及び同様の意味の単語を含む。
【００２３】
ヒューズモジュール１０は、概して、取り付けブロック１２、端子ポスト１４、ヒューズプレート１６、及びカバー１８を含み得る。図２ａを参照すると、取り付けブロック１２及び端子ポスト１４を示す斜視図が、明確にするために、ヒューズプレート１６及びカバー１８を省略して示されている。取り付けブロック１２は、電気絶縁材料（例えば、プラスチック、ポリマー、セラミックなど）で形成された直方体であってもよく、一般に、頂面２０、後面２１、底面２２、及び前面２３を含んでもよい。底部表面２２は、以下に更に記載されるように、その中に形成されたトラフ２９（図４ｂを参照）を有してもよい。端子ポスト１４は、取り付けブロック１２の頂面２０から垂直に延在してもよく、その下端から半径方向に延在する取り付けフランジ２８を有するねじ付きシャフト２７を含んでもよい。取り付けフランジ２８は、頂面２０の空洞３０内に配置されてもよい。取り付けフランジ２８の頂部は、露出されてもよく、取り付けブロック１２の頂面２０と実質的に同一平面上にあるか、又は僅かに上方に配置されてもよい。一実施例では、取り付けブロック１２は、取り付けフランジ２８上にオーバーモールドされてもよい。取り付けフランジ２８は、取り付けブロック１２内に埋め込まれ得る歯車の歯と同様に、放射状突出部３１（図２ｂを参照）を含んでもよく、したがって、取り付けフランジ２８が空洞３０から引き抜かれ、空洞３０内で回転することを防止することができる。
【００２４】
図３を参照すると、分離状態かつ組み立てられていない状態のヒューズプレート１６を示す斜視図が示されている。ヒューズプレート１６は、単一の導電材料片から形成されてもよく（例えば、単一の銅シートから打ち抜かれた）、可溶体３６によって入力端子３４に接続されたヒューズ端子３２を含み得る。ヒューズ端子３２及び入力端子３４は、貫通形成されたそれぞれの取り付け開口部４０、４２を含み得る。非限定的かつ例示的な実施形態では、ヒューズプレート１６は、例えば０．８〜２．０ミリメートルの範囲の厚さを有する銅シートで形成されてもよく、可溶体３６は８０アンペアの定格を有してもよい。ヒューズプレート１６はこの点に関して限定されず、ヒューズプレート１６は、様々な他の導電材料で形成されてもよく、かつ／又は異なる厚さで形成されて、可溶体３６内の異なる電流定格を達成することができることが理解されるであろう。
【００２５】
ヒューズモジュール１０の組み立て中、ヒューズプレート１６は、ヒューズプレート１６が取り付けブロック１２の周囲に取り付けブロック１２の表面と共形の関係で巻かれ得るように、屈曲されるか又は折り畳まれてもよい。例えば、図４ａ〜図４ｃを参照すると、ヒューズモジュール１０の組み立て中に、ヒューズプレート１６が取り付けブロック１２の周囲で屈曲され得るか又は折り畳まれ得る１つの方法を示す一連の図が提示される。具体的には、図４ａに示す第１の組み立て工程では、ヒューズ端子３２は、端子ポスト１４が取り付け開口部４０を通って延在した状態で取り付けブロック１２の頂面２０上に配置されてもよく、ヒューズ端子３２は、取り付けブロック１２の後面２１に平行であり、かつ後面２１から離間された第１の折り目Ｌ１の周りで９０度屈曲されるか又は折り畳まれて、可溶体３６を後面２１と平行にすることができる。
【００２６】
図４ｂに示される第２の組み立て工程では、ヒューズ端子３２は、第１の折り目Ｌ１（図４ａを参照）と平行であり、頂面２０の後縁部に隣接する第２の折り目Ｌ２の周りで９０度屈曲されるか又は折り畳まれて、したがって、ヒューズ端子３２の一部を後面２１と平坦に当接させて配置し、底面２２内のトラフ２９の真下に、可溶体３６を配置してもよい。
【００２７】
図４ｃに示される第３の組み立て工程では、入力端子３４は、第１及び第２の折り目Ｌ１、Ｌ２と平行であり、取り付けブロック１２の前面２３と取り付け開口部４２との中間にある第３の折り目Ｌ３の周りで９０度屈曲されるか又は折り畳まれてもよい。したがって、可溶体３６に近接する入力端子３４の一部は、前面２３と平行な関係で配置されてもよい。図４ｃにも示される第４の組み立て工程では、入力端子３４は、第１、第２、及び第３の折り目Ｌ１〜Ｌ３と平行であり、第３の折り目Ｌ３と取り付け開口部４２との中間にある第４の折り目Ｌ４の周りで９０度屈曲されるか、又は折り畳まれてもよい。したがって、可溶体３６の遠位の入力端子３４の一部分は、取り付けブロック１２の頂面２０と平行かつ実質的に同一平面上の関係に配置されてもよく、取り付けブロック１２の前面２３から離れて延在してもよい。
【００２８】
再び図１を参照すると、取り付けブロック１２を形成するものと同様の電気絶縁材料で形成され得るヒューズモジュール１０のカバー１８は、取り付けブロック１２の底面２２に締結されてもよく、可溶体３６及びトラフ２９を覆い、封入することができる（図４ｂ参照）。カバー１８は、超音波溶接、熱かしめ、エポキシ、スナップ嵌めロックなどが挙げられるがこれらに限定されない様々な締結手段のいずれかによって、取り付けブロック１２に締結されてもよい。したがって、可溶体３６は、トラフ２９（図４ｂ参照）及びカバー１８によって画定される空洞（例えば、及び空隙）内に配置されてもよく、カバー１８は、周囲粒子から可溶体３６を保護するとともに、過電流状態の間に発生し得るアーク放電を可溶体３６内に抑制する。
【００２９】
図５を参照すると、取り付けブロック１２、カバー１８、及びヒューズプレート１６の特定の部分は、電気絶縁保護層４９でオーバーモールドされてもよい。保護層４９は、例えば、電気絶縁エポキシで形成されてもよく、ヒューズモジュール１０を衝撃損傷、周囲粒子、水分などから保護することができる。オーバーモールドプロセスの間、カバー１８は、保護層４９の流動性又は半流動性材料が、可溶体３６が配置される空隙に入るのを防止することができ、それによって、可溶体３６を取り囲む空隙を維持することができる。
【００３０】
図６を参照すると、自動車電池５１上に取り付けられたヒューズモジュール１０を示す斜視図が示されている。自動車電池５１の正端子５２は、入力端子３４の取り付け開口部４２を通って延在してもよく、ヒューズモジュール１０の大部分は、自動車電池５１の側部から吊るされてもよい。ナット又は他の締結具（図示せず）は、正端子５２上に締め付けられてもよく、入力端子３４を正端子５２と電気的に連通して固定することができる。端子ポスト１４は、端子ポスト１４のねじ付きシャフト２７上に締められ得るナット（図示せず）と電気的に連通してヒューズ端子３２に対して固定され得る導体（図示せず）のリング端子を受容してもよい。したがって、自動車の電気システム又は部品は、ヒューズ端子３２、可溶体３６、及び入力端子３４を介して、自動車電池５１の正端子５２に電気的に結合されてもよく、可溶体３６は、自動車電池５１とそのような電気システム又は部品との間に過電流保護を提供する。端子ポスト１４はねじ付きボルトに類似して示されているが、そのような描写は単なる例として提供されること、及びヒューズ端子３２と電気コネクタ／導体との間の電気的接続の確立が保護されるべき電気システム又は部品から延在する（例えば、リング端子を介して）かかる電気コネクタ／導体と接続するために同様に適合され得る、様々な他の種類の締結具又は構造によって、端子ポスト１４が代替的に具現化されてもよいことを理解されたい。
【００３１】
当業者であれば、本開示のヒューズモジュール１０は、現在市販されているプレヒューズボックスに対して多くの利点を提供することが理解されよう。例えば、ヒューズモジュール１０全体は、それらの間に延在する任意の可撓性導体なしに、それに近接して、自動車電池の正端子に直接取り付けることができる。これは、従来のプレヒューズボックスに対して、著しい空間及び材料の節約を提供する。
【００３２】
図７ａ〜図７ｃを参照すると、本開示の別の例示的実施形態によるヒューズモジュール１００が示されている。ヒューズモジュール１００は、上述のヒューズモジュール１０と実質的に同様であってもよく、取り付けブロック１１２、端子ポスト１１４、ヒューズプレート１１６、及びカバー１１８を含み得る。しかしながら、ヒューズモジュール１０におけるように、ヒューズプレート１１６が取り付けブロック１１２の周囲に巻かれるか、又は折り畳まれる代わりに、取り付けブロック１１２は、ヒューズプレート１１６の部分が取り付けブロック１１２内に埋め込まれるように、（例えば、インサート成形を介して）、予め折り畳まれたヒューズプレート１１６上に成形されてもよい。ヒューズプレート１１６のヒューズ端子１３２、入力端子１３４、及び可溶体１３６は、上記のヒューズプレート１６のヒューズ端子３２、入力端子３４、及び可溶体３６と実質的に同様であってもよく、露出されたままであってもよい。カバー１１８は、周囲粒子から可溶体１３６ を保護するとともに、過電流状態の間に発生し得るアーク放電を可溶体１３６内に抑制するために、ヒューズモジュール１０に関して上述したのと同様に、取り付けブロック１１２に締結されてもよい。
【００３３】
図８ａ及び図８ｂを参照すると、本開示の追加の例示的実施形態によるヒューズモジュール２００、３００が示されている。ヒューズモジュール２００、３００は、上述したヒューズモジュール１０及び１００と実質的に同様であってもよく、それぞれの取り付けブロック２１２、３１２、端子ポスト２１４、３１４、ヒューズプレート２１６、３１６、及びカバー２１８、３１８を含み得る。加えて、ヒューズモジュール２００、３００は、ヒューズプレート２１６、３１６のそれぞれの入力端子２３４、３３４から延在し得る、それぞれの一体型電池クランプ２５５、３５５を含み得る。図８ａに示される実施形態では、電池クランプ２５５は、入力端子２３４の連続的な延長部であってもよい（すなわち、ヒューズプレート２１６と同じ導電材料片から形成されてもよい）。図８ｂに示される実施形態では、電池クランプ３５５は、ヒューズプレート３１６とは別個に形成されてもよいが、トキシング（toxing）、溶接、はんだ付けなどを介して入力端子３３４に接続されてもよい。
【００３４】
図９ａ〜図９ｃを参照すると、本開示の別の例示的実施形態によるヒューズモジュール４００が示されている。ヒューズモジュール４００は、上述のヒューズモジュール１００と実質的に同様であってもよいが、複数の端子ポスト４１４ａ、４１４ｂと、単一の取り付けブロック４１２内に埋め込まれた複数のそれぞれのヒューズプレート４１６ａ、４１６ｂとを含んでもよく、取り付けブロック４１２は、端子ポスト４１４ａ、４１４ｂ及びヒューズプレート４１６ａ、４１６ｂ上に（例えば、インサート成形を介して）成形することができる。ヒューズモジュール４００は、２つの端子ポスト４１４ａ、４１４ｂ及び２つのそれぞれのヒューズプレート４１６ａ、４１６ｂを有するものとして示されているが、ヒューズモジュール４００は、本開示から逸脱することなく、３つ以上の端子ポスト及びそれぞれのヒューズプレートを含み得ることが企図される。
【００３５】
ヒューズモジュール４００は、図９ｃに分離して示されるヒューズプレート４１６ａ、４１６ｂのうちの１つ以上の入力端子４３４ａ、４３４ｂが、トキシング、溶接、はんだ付けなどを介して、そこに結合されるバス延長部４８４を含み得る点で、上記のヒューズモジュール１００とは更に異なる。バス延長部４８４は、導電性材料（例えば、銅）で形成されてもよく、低中定格電流（例えば、５〜６０アンペア）を有するヒューズのヒューズモジュール４００への接続を容易にするように成形及び配置されてもよい。例えば、バス延長部４８４は、取り付けブロック４１２に形成された凹部４９０内に据え付けることができ、取り付けブロック４１２（図９ｂ参照）の底部の開口部４９４を通って延在する電気導体（図示せず）に接続され得る、ブレードヒューズ４８７（図９ａ参照）の脚部を受容するための二股コネクタ４８５を画定し得る。様々な実施形態では、バス延長部４８４は、入力端子４３４ｂの一体的な連続的な延長部であってもよい（すなわち、ヒューズプレート４１６ｂの一部として形成される）。様々な実施形態では、バス延長部４８４は、ヒューズの雌端子に接続するための雄端子（図９ｃに示す雌端子の代わりに）を画定し得る。
【００３６】
図１０ａ及び図１０ｂを参照すると、本開示の別の例示的実施形態による、ヒューズモジュール５００が示されている。ヒューズモジュール５００は、上述のヒューズモジュール１０と実質的に同様であってもよく、同様に、取り付けブロック５１２、端子ポスト５１４、及びヒューズプレート５１６を同様に含むことができる。しかしながら、ヒューズモジュール１０におけるように、ヒューズプレート１１６が取り付けブロック５１２の周りに巻かれるか、又は折り畳まれる代わりに、ヒューズプレート１１６は、図１０ｂに示される形状に予め折り畳まれてもよく、端子ポスト５１４は、ヒューズ端子５３２内の取り付け開口部５４０を通して挿入されてもよい。取り付けブロック５１２は、ヒューズプレート１１６の部分を内部に収容するために互いに結合され得る、別個の第１及び第２の取り付けブロック部分５１２ａ、５１２ｂを含み得る。特に、射出成形又は同様のプロセスを使用して形成され得る第１及び第２の取付けブロック部分５１２ａ、５１２ｂは、内部に形成され、図１０ａに示すように、ヒューズ端子５３２の頂面及び端子ポスト５１４のねじ付きシャフト５２７を露出させたまま、入力端子５３４を取り付けブロック５１２の外側に延在させながら、ヒューズプレート１１６及び端子ポスト５１４の部分を収容するように構成（すなわち、サイズ決め及び成形）され得る凹部又はチャネル５１７ａ、５１７ｂを含み得る。様々な実施形態において、第１及び第２の取り付けブロック部分５１２ａ、５１２ｂは、可溶体５３６を収容する空洞５１９を画定してもよく、空洞５１９は、可溶体５３６を取り囲む空気ポケットを提供するためのチャネル５１７ａ、５１７ｂの隣接部分よりも大きい。第１及び第２の取り付けブロック部分５１２ａ、５１２ｂは、超音波溶接、スナップ嵌め、熱かしめ、接着剤などを介して互いに連結されてもよい。本開示は、この点に関して限定されない。
【００３７】
本明細書で使用するとき、単数形に列挙され、単語「ａ」又は「ａｎ」で進められた要素又は工程は、そのような除外が明示的に記載されていない限り、複数の要素又は工程を除外しないものとして理解されるべきである。更に、本開示の「一実施形態」への言及は、列挙された特徴を組み込む追加の実施形態の存在を除外するものとして解釈されることを意図するものではない。
【００３８】
本開示は、特定の実施形態を参照するが、添付の「特許請求の範囲」に定義されるように、本開示の範囲（sphere and scope）から逸脱することなく、説明される実施形態に対する多数の修正、改変、及び変更が可能である。したがって、本開示は、記載される実施形態に限定されるものではなく、以下の特許請求の範囲及びその等価物の言語によって定義される全範囲を有することが意図される。
【図１】
2020534642.tif 000003
【図２ａ】
2020534642.tif 000004
【図２ｂ】
2020534642.tif 000005
【図３】
2020534642.tif 000006
【図４ａ】
2020534642.tif 000007
【図４ｂ】
2020534642.tif 000008
【図４ｃ】
2020534642.tif 000009
【図５】
2020534642.tif 000010
【図６】
2020534642.tif 000011
【図７ａ】
2020534642.tif 000012
【図７ｂ】
2020534642.tif 000013
【図７ｃ】
2020534642.tif 000014
【図８ａ】
2020534642.tif 000015
【図８ｂ】
2020534642.tif 000016
【図９ａ】
2020534642.tif 000017
【図９ｂ】
2020534642.tif 000018
【図９ｃ】
2020534642.tif 000019
【図１０ａ】
2020534642.tif 000020
【図１０ｂ】
2020534642.tif 000021
【国際調査報告】
2020534642.tif 000022